(57)【要約】【課題】従来の美容方法に電位治療器を採り入れた新たな美容方法を提案する。【解決手段】電位治療器２を用いた美容方法であって、電位治療器２と、美容を施される者（客６）の身体を横にさせるためのベッド１と、前記電位治療器２と接続され、前記ベッド１の上に敷設される電床マット３と、前記美容を施される者の肌表面に塗布する外用基材５ａと、美容を施される者に対して美容行為を行う担当者７が着用する非導電性のグローブ４と、を用いるものであり、前記電位治療器２により、電床マット３を介して美容を施される者の身体の周囲に高圧電界を発生させた状況下において、非導電性のグローブ４を着用した担当者７が、美容を施される者の外用基材が塗布された肌表面を、もんだり、さすったり、たたいたりして、肌細胞を活性化させることとする。【選択図】図２
2005205070.tif 000002
【特許請求の範囲】
【請求項１】
電位治療器を用いた美容方法であって、
電位治療器と、
美容を施される者の身体を横にさせるためのベッドと、
前記電位治療器と接続され、前記ベッドの上に敷設される電床マットと、
前記美容を施される者の肌表面に塗布する外用基材と、
美容を施される者に対して美容行為を行う担当者が着用する非導電性のグローブと、を用いるものであり、
前記電位治療器により、電床マットを介して美容を施される者の身体の周囲に高圧電界を発生させた状況下において、
非導電性のグローブを着用した担当者が、美容を施される者の外用基材が塗布された肌表面を、もんだり、さすったり、たたいたりして、肌細胞を活性化させることとする、
電位治療器を用いた美容方法。
【請求項２】
電位治療器と、
美容を施される者の身体を横にさせるためのベッドと、
前記電位治療器と接続され、前記ベッドの上に敷設される電床マットと、
前記美容を施される者の肌表面に塗布する外用基材と、
美容行為を行う担当者の着用する非導電性のグローブと、
を一つのセットとしてなる、電位治療器を具備する美容装置。
【発明の詳細な説明】
【技術分野】
【０００１】
本発明は、電位治療器の利用方法に関するものであり、特に、電界により囲まれた身体に直接的に触れることで、電位治療器による生体恒常性の向上や新陳代謝の促進を図り、美容効果をもたらし得るための方法に関する。
【背景技術】
【０００２】
電位治療器は、微少な電気エネルギーを全身に与えて、自律神経系及び内分泌系の調整中枢（視床下部等）を、より健常な調整状態になるように向かわせる効果があるといわれている。
この電位治療器は、身体に安全な範囲の高電圧を付加することで、室内の壁や床との間に電位差を生じさせ、身体の周囲に電界空間を生み出し、該電界によって極めて微少な誘導電流を身体の内部に発生させ、該誘導電流によって血行の促進を図ろうとするものである。
そして、この血行の促進により、生体恒常性や、新陳代謝の向上を図り、具体的には、頭痛・肩こり・不眠症・慢性便秘の原因に働きかけることとされている。
【０００３】
他方、電位治療器とマッサージ器とを組み合わせた構成について開示する文献も存在する（例えば、特許文献１参照。）。
当該文献に開示される技術によれば、両機器の設置面積を少なくすることができることとされている。
【０００４】
また、従来、いわゆるエステサロン等において、人の手によって身体を押圧したり、もんだり、さすったり、たたいたりすることで、肌細胞を活性化し（新陳代謝を促進させる）、美容効果を得るといった美容方法も周知となっている。
【０００５】
【特許文献１】実用新案登録第３０９３１３９号公報
【発明の開示】
【発明が解決しようとする課題】
【０００６】
上記文献においては、電位治療器とマッサージ器との組合せについて開示されているが、両機器を切替えて使用することを想定しており、同時に使用する、即ち、電位治療器を使用しながらのマッサージを行うことについては開示されていない。
ところが、上述したごとく、電位治療器の使用によれば血行が促進されるものであり、このように血行が促進された状態においてマッサージをすることによれば、マッサージ効果をさらに高めることができるものと考えられる。
【０００７】
また、本願出願人は、電位治療器の使用による血行の促進の効果に着目し、この効果を美容効果（肌細胞の活性化による新陳代謝の促進）に繋げられないものかと考えた。
具体的には、上述の従来の美容方法において、電位治療器を採り入れることにより、当該電位治療器による血行促進の効果との相乗効果によって、更なる美容効果を発揮させようとするものである。
ここで、上述の従来の美容方法においては、担当者は、美容を施される者の身体を直接的にさすったり、たたいたり等するものである。このため、電位治療器を使用し、身体の周囲に電界空間を生じさせる場合においては、美容を施される者の身体の内部に生じた誘導電流を担当者の身体の内部に流れさせないようにすることが必要とされる。誘導電流が担当者の身体に流れてしまうと、美容を施される者に対する血行促進の効果が低減されてしまうからである。
つまり、担当者が素手で美容を施される者の肌に触れるようなことでは、誘導電流が担当者の身体に流れてしまうことになり、好ましくないのである。
そこで、この誘導電流が担当者の身体に流れないようにするため、特別な対策が必要とされることになる。
【０００８】
本発明は、上述の従来の美容方法に電位治療器を採り入れた新たな美容方法を提案するとともに、当該新たな美容方法の実施形態について提案するものである。
【課題を解決するための手段】
【０００９】
本発明の解決しようとする課題は以上のごとくであり、次にこの課題を解決するための手段を説明する。
【００１０】
即ち、請求項１に記載のごとく、
電位治療器を用いた美容方法であって、
電位治療器と、
美容を施される者の身体を横にさせるためのベッドと、
前記電位治療器と接続され、前記ベッドの上に敷設される電床マットと、
前記美容を施される者の肌表面に塗布する外用基材と、
美容を施される者に対して美容行為を行う担当者が着用する非導電性のグローブと、を用いるものであり、
前記電位治療器により、電床マットを介して美容を施される者の身体の周囲に高圧電界を発生させた状況下において、
非導電性のグローブを着用した担当者が、美容を施される者の外用基材が塗布された肌表面を、もんだり、さすったり、たたいたりして、肌細胞を活性化させることとすることである。
【００１１】
また、請求項２に記載のごとく、
電位治療器と、
美容を施される者の身体を横にさせるためのベッドと、
前記電位治療器と接続され、前記ベッドの上に敷設される電床マットと、
前記美容を施される者の肌表面に塗布する外用基材と、
美容行為を行う担当者の着用する非導電性のグローブと、
を一つのセットとしてなる電位治療器を具備する美容装置とすることである。
【発明の効果】
【００１２】
本発明の効果として、以下に示すような効果を奏する。
【００１３】
即ち、請求項１に記載の発明では、美容を施される者の身体の内部には、誘導電流や神経活動電位が発生するものであり、これにより、血行の促進が図られ、美容効果を得ることができる。
また、このように、血行の促進が図られた状態で、例えば、腰の部位を押圧することにより、腰の部位の肌細胞が活性化され（新陳代謝が促進される）、前記誘導電流や神経活動電位の発生による肌細胞の活性化と相まって、美容効果の相乗効果を得ることができる。
また、この場合、担当者がグローブを着用しているため、誘導電流が担当者側へ流れることがなく、電位治療器による効果が妨げられることもない。
また、以上の美容方法が実施される際には、直接的には美容効果（肌細胞の活性化による新陳代謝の促進）が得られるであるが、新陳代謝の促進に基づくリラクゼーション効果も同時に得られるものである。
また、外用基材として、導電性の高いジェルを採用することによれば、当該ジェルの導電性により、広範囲に満遍なく電界を発生させることが可能となる。
【００１４】
また、請求項２に記載の発明では、需要者においては、上記美容方法を実施するに際し必要とされる器具の全てを準備することができるものであり、需要者に器具を揃えさせる負担を強いることがない。
【発明を実施するための最良の形態】
【００１５】
上述の従来の美容方法に電位治療器を採り入れた新たな美容方法であり、電位治療器と、美容を施される者の身体を横にさせるためのベッドと、前記電位治療器と接続され、前記ベッドの上に敷設される電床マットと、前記美容を施される者の肌表面に塗布する外用基材と、美容を施される者に対して美容行為を行う担当者が着用する非導電性のグローブと、を用いるものであり、前記電位治療器により、電床マットを介して美容を施される者の身体の周囲に高圧電界を発生させた状況下において、非導電性のグローブを着用した担当者が、美容を施される者の外用基材が塗布された肌表面を、もんだり、さすったり、たたいたりして、肌細胞を活性化させることとするものである。
【実施例１】
【００１６】
次に、本発明の実施の形態を、図面に基づいて説明する。
図１は、本発明の電位治療器２を用いた美容方法において使用する機器について示す図である。
エステサロン等の室に、美容を施される者、即ち、客の身体を横にさせるためのベッド１が設置され、該ベッド１の横には電位治療器２が設置される。そして、該電位治療器２に接続される電床マット３が前記ベッド１に敷設される。そして、ベッド１及び床は絶縁されており、電床マット３から他の物に対して電流が流れないようにしている。
以上のベッド１、電位治療器２、電床マット３の構成により、電床マット３の上に身体を横にして、リラックスした状態で電位治療器２を用いた美容方法を実施できるようにしている。
【００１７】
また、上記の装置に加え、本発明にかかる美容方法の実施においては、非導電性のグローブ４と、導電性の高いジェル等の外用基材５ａ（容器５内に入れられている）が用いられる。
前記グローブ４は、例えば、炭素繊維等からなるものであり、電気伝導率の低い素材（非道電部材・絶縁体）であればよく、特に素材は限定するものではない。
前記外用基材５ａには、不純物が少なく、導電性の高いジェルを採用するのが好ましく、当該ジェルの導電性により、広範囲に満遍なく電界を発生させることが可能となる。
また、当該ジェルは、客の身体は勿論のこと、電床マット３の上にも満遍なく塗布されるものであり、これにより、客の身体の広範囲に満遍なく電界を発生させることが可能となる。
さらに、当該ジェルについては、当該ジェル自体にも帯電させることが可能であるため、予め電床マット３の上に塗布し、ジェルを帯電させた状態で美容を実施することが望ましい。また、客の身体に塗布するジェルについても、予め、容器型の専用装置（例えば、容器５に帯電させる機能を持たせたもの）により、帯電させた状態とすることが望ましい。このように、帯電したジェルを用いることにより、より確実に、客の身体の周囲に電界を発生させることができるようになる。
尚、外用基材５ａについては、導電性の高いジェルの他、クリーム・軟膏等も採用可能であり、客の肌の性質に合わせて任意に選択されるものである。
【００１８】
図２は、本発明の電位治療器２を用いて美容を実施している状況を示す図である。
ベッド１にうつ伏せの状態となっている客６に対し、担当者７がグローブ４を嵌めた状態で、美容を実施しているものである。
客６の肌表面には、外用基材５ａが満遍なく塗布され、グローブ４と肌表面との間に、外用基材５ａの膜が形成されるようになっている。
そして、この状態において、従来実施されている美容方法、即ち、担当者７の手によって、客６の身体を押圧したり、もんだり、さすったり、たたいたりして、肌細胞を活性化（新陳代謝を促進）させるものである。
【００１９】
図３は、電位治療器２により身体周囲に発生する高圧電界８について示す図である。
前記電位治療器２で変圧して電床マット３に高電圧を印加することにより、電床マット３の周囲に高圧電界が発生する。そして、人体は導電性を有するため、電床マット３上で接することにより微小な誘導電流１１が流れて人体からも電界が発生する。この微小な誘導電流１１の通電と電界８が皮膚の感覚受容器を柔らかく刺激し、その刺激は、最終的に脳の視床下部９等に働きかけて生体恒常性を維持するように作用するものである。
また、電界８により、極めて微小な誘導電流１１が身体の内部を流れ、この誘導電流１１が細胞に働きかけて新陳代謝を促すものである。
また、電界８により、身体表面の感覚受容体が刺激され、これにより、神経活動電位１２が生じることとなっている。
【００２０】
図４は、グローブ４の非導電性による効果について示す図である。
上述したごとく、グローブ４は非導電性の素材で構成されており、前記誘導電流１１が美容を実施する担当者７側へ流れることがない。つまり、客の肌表面６ａに対し、素手で接触した場合には、誘導電流１１が、担当者７側へ流れてしまうことになるが、担当者７がグローブ４を着用することにより、担当者７の肌と客の肌表面６ａの間には、グローブ４が介在することで両者が非導電の関係になり、誘導電流１１が担当者７側へ流れることがないのである。
このように、グローブ４により、身体の内部に流れる誘導電流１１の担当者７側への導電を防止し、誘導電流１１による新陳代謝の効果の低減を防止するものである。
【００２１】
また、前記外用基材５ａに導電性の高いジェルを採用することによれば、身体の広範囲に満遍なく電界を発生させることができ、これにより、誘導電流１１の流れを良好なものとできる。
また、このジェルを用いる場合には、ジェル自体に帯電させるべく、ジェルを予め電床マット３の上に塗布しておいて十分に帯電させておくことや、客の身体に塗布するジェルについても、予め、容器型の専用装置により、帯電させた状態とすることが望ましい。
尚、外用基材５ａの種別については、特に限定されるものではないが、美容効果を高めるべく、化粧水、クリーム、乳液などの、いわゆる美容液を採用し、当該美容液の作用による美容効果を呈させることも可能であり、これにより、従来の美容方法と電位治療器の利用によりもたらされる美容効果（肌細胞の活性化による新陳代謝の促進）の相乗効果を得ることも可能である。
【００２２】
次に、以上に述べた機器類を用いての具体的な美容方法について説明する。
図２に示すごとく、客６を電床マット３が敷かれたベッド１に横にさせ、全身リラックスさせた状態とする。
そして、電位治療器２を作動させると、客６の身体全体が高圧電界８によって包みこまれ、これにより、図３に示すごとく、誘導電流１１や神経活動電位１２が発生することになる。
そして、図２に示すごとく、担当者７は、客６の肌表面６ａに外用基材５ａを塗布する。
そして、図２に示すごとく、担当者７が、グローブ４を着用した状態で、客６の身体を押圧したり、もんだり、さすったり、たたいたりすることにより、肌細胞が刺激され、血行が良好となり、これにより、微小な誘導電流１１の流れを良好とし、肌細胞の活性化（新陳代謝を促進）を図るものである。
また、例えば、肩凝りが生じている場合において、当該肩こりの箇所は血行不良のため、誘導電流１１が流れにくく、肩以外の部位に誘導電流が逃げてしまうことになるが、本実施例のように、担当者７が刺激を与えることで血液の流れを促すことによれば、微小な誘導電流１１を流れ易くすることができ、特に血行が不良となっている部位においても、肌細胞の活性化（新陳代謝を促進）を図ることができる。
【００２３】
以上のように、電位治療器２を用いた美容方法であって、電位治療器２と、美容を施される者（客６）の身体を横にさせるためのベッド１と、前記電位治療器２と接続され、前記ベッド１の上に敷設される電床マット３と、前記美容を施される者の肌表面に塗布する外用基材５ａと、美容を施される者に対して美容行為を行う担当者７が着用する非導電性のグローブ４と、を用いるものであり、前記電位治療器２により、電床マット３を介して美容を施される者の身体の周囲に高圧電界を発生させた状況下において、非導電性のグローブ４を着用した担当者７が、美容を施される者の外用基材が塗布された肌表面を、もんだり、さすったり、たたいたりして、肌細胞を活性化させることとするものである。
そして、この場合、図３に示すごとく、美容を施される者（客６）の身体の内部には、誘導電流１１や神経活動電位１２が発生するものであり、これにより、血行の促進が図られ、美容効果を得ることができる。
また、このように、血行の促進が図られた状態で、例えば、腰の部位を押圧することにより、腰の部位の肌細胞が活性化され（新陳代謝が促進される）、前記誘導電流１１や神経活動電位１２の発生による肌細胞の活性化と相まって、美容効果の相乗効果を得ることができる。
また、この場合、担当者７がグローブ４を着用しているため、誘導電流１１が担当者７側へ流れることがなく、電位治療器２による効果が妨げられることもない。
また、以上の美容方法が実施される際には、直接的には美容効果（肌細胞の活性化による新陳代謝の促進）が得られるであるが、新陳代謝の促進に基づくリラクゼーション効果も同時に得られるものである。
【００２４】
他方、上記の器具類を一つのセットとして美容装置とし、これを需要者に提供する形態とすることも可能である。
即ち、電位治療器２と、美容を施される者の身体を横にさせるためのベッドと、前記電位治療器２と接続され、前記ベッドの上に敷設される電床マット３と、前記美容を施される者の肌表面に塗布する外用基材５ａと、美容行為を行う担当者の着用する非導電性のグローブ４と、を一つのセットとしてなる電位治療器２を具備する美容装置とするものである。
さらに、外用基材５ａに導電性の高いジェルを用いる形態とする場合では、当該ジェルを帯電させるための容器型の専用装置（容器５）を上記セットに加えることも可能である。
このように、一つのセットとして美容装置を需要者に提供する形態とすることによれば、需要者においては、上記美容方法を実施するに際し必要とされる器具の全てを準備することができるものであり、器具を揃えさせる負担を強いることがない。
そして、このように、一つのセットとしてなる美容装置は、電位治療器２を起動するための電源の他には、特別の設備が必要とされるものではないので、電源が備えられるあらゆる場所に設置可能とするものである。
【産業上の利用可能性】
【００２５】
本発明は、エステサロン等の美容が実施されるあらゆる施設において実施可能であり、電位治療器２を具備する美容装置は、電源の他には、特別の設備が必要とされることがなく、電源が備えられるあらゆる場所に設置可能である。
【図面の簡単な説明】
【００２６】
【図１】本発明の電位治療器２用いた美容方法において使用する機器について示す図である。
【図２】本発明の電位治療器を用いて美容を実施している状況を示す図である。
【図３】電位治療器により身体周囲に発生する高圧電界について示す図である。
【図４】グローブの非導電性による効果について示す図である。
【符号の説明】
【００２７】
１      ベッド
２      電位治療器
３      電床マット
４      グローブ
５ａ    外用基材
５      容器
６      客
６ａ    肌表面
７      担当者
８      高圧電界
９      視床下部
１１    誘導電流
１２    神経活動電位
【図１】
2005205070.tif 000003
【図２】
2005205070.tif 000004
【図３】
2005205070.tif 000005
【図４】
2005205070.tif 000006